(57)【特許請求の範囲】
【請求項１】
カップ部（１）の内部に樹脂部材（５）が配置されるワイヤレスタイプの衣類（１０）において、
前記樹脂部材（５）は、
バストの中心部（Ｍ）から脇部（Ｓ）にかけて懸架される第１樹脂部材（５１）及び第２樹脂部材（５２）を含み、
前記第１樹脂部材（５１）は、バストトップ（Ｋ）よりも上方を通るように懸架され、
上方に突出する１つの凸部を有し、その両側が下方に凹む湾曲形状を有し、
前記第２樹脂部材（５２）は、
バストトップ（Ｋ）よりも下方を通り、かつ、カップ部（１）の下縁の最下点（Ｊｕ）よりも上方を通るように懸架された第３樹脂部材（５２１）及び第４樹脂部材（５２２）を含み、
バストの中心部（Ｍ）の上方から脇部（Ｓ）の下方へ懸架される前記第３樹脂部材（５２１）と、バストの中心部（Ｍ）の下方から脇部（Ｓ）の上方へ懸架される前記第４樹脂部材（５２２）とが交差するＸ形状を有し、
前記第３樹脂部材（５２１）及び前記第４樹脂部材（５２２）は、懸架された方向に沿って上方に突出する凸部と下方に突出する凹部が交互に繰り返される波形状を有し、
前記樹脂部材（５）は、
バストの上方から下方へ延びる連結部材（５５）と、一定の長さ分だけ前記カップ部（１）の下縁に沿って配置される第１ベース部材（５３）及び第２ベース部材（５４）とをさらに含み、
前記連結部材（５５）により、前記第１樹脂部材（５１）と前記第２樹脂部材（５２）とを連結し、
前記第１ベース部材（５３）により、前記第３樹脂部材（５２１）と前記第４樹脂部材（５２２）とをそれぞれのバストの中心部（Ｍ）側の端部において連結し、
前記第２ベース部材（５４）により、前記第３樹脂部材（５２１）と前記第４樹脂部材（５２２）とをそれぞれの脇部（Ｓ）側の端部において連結する
ことを特徴とする衣類（１０）。
【請求項２】
前記第１樹脂部材（５１）は、
上方向に膨出したバストの曲面に沿って湾曲する立体形状を有する
ことを特徴とする請求項１に記載の衣類（１０）。
【請求項３】
前記カップ部（１）は、前記第１樹脂部材（５１）及び前記第２樹脂部材（５２）の支持体（６）を備える
ことを特徴とする請求項１又は２に記載の衣類（１０）。
【発明の詳細な説明】
【技術分野】
【０００１】
本発明は、衣類に関する。
【背景技術】
【０００２】
カップ部を有するブラジャー等の衣類には、ワイヤタイプとワイヤレスタイプがある。ワイヤタイプはカップ部の下縁にワイヤが設けられるが、ワイヤレスタイプにはこのようなワイヤがない。
【０００３】
ワイヤによる締め付けがないため、ワイヤレスタイプは着用感に優れるが、ワイヤによってバストを支えることができない。そのため、ワイヤレスタイプでは、カップ部に補強用の布地を使用してバストを造形することが多い（例えば特許文献１及び２参照）。
【先行技術文献】
【特許文献】
【０００４】
【特許文献１】特開２０１７−２１４６６３号公報
【特許文献２】特許第５８０７７３５号
【発明の概要】
【発明が解決しようとする課題】
【０００５】
しかしながら、布地によるバストの造形力はワイヤに劣る。そのため、ワイヤレスタイプにおいては、バストの造形力の向上が求められていた。
【０００６】
本発明は、ワイヤレスタイプの衣類におけるバストの造形力の向上を目的とする。
【課題を解決するための手段】
【０００７】
本発明の一態様は、カップ部（１）の内部に樹脂部材（５）が配置される衣類（１０）である。樹脂部材（５）は、バストの中心部（Ｍ）から脇部（Ｓ）にかけて懸架される第１樹脂部材（５１）及び第２樹脂部材（５２）を含む。第１樹脂部材（５１）は、バストトップ（Ｋ）よりも上方を通るように懸架される。第２樹脂部材（５２）は、バストトップ（Ｋ）よりも下方を通り、かつ、バージスライン（Ｊ）の最下点（Ｊｕ）よりも上方を通るように懸架される。
【発明の効果】
【０００８】
本発明によれば、ワイヤレスタイプの衣類においてバストの造形力を向上させることができる。
【図面の簡単な説明】
【０００９】
【図１】本実施形態のブラジャーを示す斜視図である。
【図２】カップ部の断面図である。
【図３】樹脂部材及び支持体の平面図である。
【図４】樹脂部材及び支持体の側面図である。
【図５】変形例に係る樹脂部材を示す平面図である。
【発明を実施するための形態】
【００１０】
以下、本発明の衣類の実施の形態について、図面を参照して説明する。以下に説明する構成は本発明の一例（代表例）であり、本発明はこれに限定されない。
【００１１】
以下の実施形態では、カップ部を有する衣類の１種であるブラジャーについて説明するが、カップ部を有する衣類であれば、ブラジャーに限らず、キャミソール、ワンピース、Ｔシャツ等にも本発明を適用することができる。
【００１２】
本明細書において、上とは図面中の方向Ｙ１をいい、下とは図面中の方向Ｙ２をいう。右とは図面中の方向Ｘ１をいい、左とは図面中の方向Ｘ２をいう。また内側とは着用者に接する側をいい、外側とは内側と反対側をいう。
【００１３】
図１は、本実施形態のブラジャー１０を示す。
ブラジャー１０は、１対のカップ部１、アンダーベルト２１、１対のサイドベルト２２及び１対のストラップ２３を備える。
【００１４】
ブラジャー１０は、ワイヤレスタイプであり、バージスラインＪ上にワイヤを有しない。バージスラインＪとはカップ部１の下縁をいう。
【００１５】
１対のカップ部１は、バストの中心部Ｍに対して左右対称に配置され、着用者のバストを覆う。中心部Ｍに位置するアンダーベルト２１に各カップ部１の下部が接続されることによって、左右のカップ部１が中心部Ｍにおいて連結される。
【００１６】
１対のサイドベルト２２はアンダーベルト２１の左右の端部にそれぞれ接続され、着用者の脇部Ｓから背中へ延びる。サイドベルト２２の背中側の端部には、ホックのような連結部材が設けられる。連結部材を介して各サイドベルト２２を連結又は分離することができる。
【００１７】
サイドベルト２２が着用者の胴にフィットするように、サイドベルト２２の下端には、アンダーテープ２４が縫着されている。アンダーテープ２４は、ゴムテープ等の伸縮性を有するテープ部材である。
【００１８】
１対のストラップ２３は着用者の両肩に架け渡される。ストラップ２３の一端はカップ部１の上部に接続され、他端はサイドベルト２２の背中側の上部に接続される。
【００１９】
ブラジャー１０は、レース等の表布２５を備えることができる。表布２５は、カップ部１、アンダーベルト２１、サイドベルト２２及びストラップ２３の外側の表面に重ねられ、縫着される。
【００２０】
（カップ部）
図２は、図１中のＡ−Ａ線におけるカップ部１の断面図である。
カップ部１は、パッド１１を備える。またカップ部１は、パッド１１の内部に配置される樹脂部材５と、樹脂部材５の支持体６とを備える。
【００２１】
パッド１１は、ポリウレタン等の成型体である。パッド１１は、バストの上向きに膨出する形状を造形するため、バストトップＫを頂点として凸状に湾曲する形状を有する。バストアップのため、パッド１１は上部よりも下部の方が厚くてもよい。
【００２２】
パッド１１は、バージスラインＪ上に平坦な下縁部１２を有する。この下縁部１２の外側には表布２５が重ねられ、下縁部１２の上端及び下端においてパッド１１と表布２５とが縫着される。
【００２３】
（樹脂部材）
図３は、樹脂部材５及び支持体６の平面図である。図４は、樹脂部材５及び支持体６の側面図である。
【００２４】
樹脂部材５は、第１樹脂部材５１、第２樹脂部材５２、第１ベース部材５３、第２ベース部材５４及び連結部材５５を含む。
【００２５】
樹脂部材５の素材としては、柔軟性及び伸縮性を有する樹脂、例えば熱可塑性ポリウレタン（ＴＰＵ）等が好ましい。
【００２６】
第１樹脂部材５１及び第２樹脂部材５２は、バストの中心部Ｍから脇部Ｓにかけて懸架される。
【００２７】
第１樹脂部材５１は、バストトップＫよりも上方を通るように懸架される。第２樹脂部材５２は、バストトップＫよりも下方を通り、かつ、バスト全体を保持しないように、バージスラインＪの最下点Ｊｕよりも上方を通るように懸架される。
【００２８】
柔らかいパッド１１はバストの重みに耐えられず変形しやすい。そのため、バストトップＫを頂点として上方向に膨出するように又は中心部Ｍにバストが寄るように、カップ部１のパッド１１の立体形状やカップ部１の位置等を設計しても、パッド１１の面のみによって、バストの立体形状を造形することは難しい。
【００２９】
しかし、本実施形態のカップ部１においては、第１樹脂部材５１及び第２樹脂部材５２が、バストの上部と下部をそれぞれ支える。第１樹脂部材５１及び第２樹脂部材５２はパッド１１よりも強度を有し、変形しにくい。そのため、パッド１１の型崩れが少なく、カップ部１全体におけるバストのホールド力が向上する。
【００３０】
この高いホールド力によって、バストの目的の立体形状を造形し維持することができる。ホールド力が高い金属製のワイヤがバージスラインJ上にないワイヤレスタイプにおいても、カップ部１によって高いバストの造形力を実現できる。
【００３１】
第１樹脂部材５１及び第２樹脂部材５２は線状部材であり、バストを覆う領域が少ない。よって、第１樹脂部材５１及び第２樹脂部材５２がパッド１１の柔軟性を阻害することもない。バストの形状に対するカップ部１のフィット性を低下させることなく、バストのホールド力を高めることができる。
【００３２】
第１樹脂部材５１及び第２樹脂部材５２は、上方向に膨出するバスト表面の曲面に沿って湾曲する立体形状を有する。したがって、第１樹脂部材５１及び第２樹脂部材５２がバストにフィットしやすく、バージスラインJの広がりを抑え、かつバストの立体形状を造形しやすい。
【００３３】
第２樹脂部材５２は、２つの樹脂部材５２１及び５２２が交差する形状を有する。樹脂部材５２１は、バストの中心部Ｍ側の上方から脇部Ｓ側の下方へ懸架される。樹脂部材５２２は、バストの中心部Ｍ側の下方から脇部Ｓ側の上方へと懸架される。
【００３４】
２つの樹脂部材５２１及び５２２を用いてバストの下部を支えるため、バージスラインJの広がりを抑え、バストの重みによる負荷が大きいバスト下部のホールド力をより高めることができる。サイズが大きいバストも十分に支えることができ、バストの垂れ又は広がり等の形状の崩れを抑えることができる。
【００３５】
また交差形状はねじれやすく、可動域を阻害しにくいため、運動によってバストが揺れる場合でも第２樹脂部材５２が動くバストにフィットしやすくなる。
【００３６】
例えば、第２樹脂部材５２は、バストトップＫよりも１ｃｍ以上下方の位置からバージスラインＪの最下点Ｊｕまでの範囲内を通るように懸架される。
【００３７】
第２樹脂部材５２は、バストの中心部Ｍ側から脇部Ｓ側へ向かって波状に延びる。波状の第２樹脂部材５２は、直線状に比べて変形しやすく、伸縮性が高い。したがって、運動時に揺れるバストに対しても第２樹脂部材５２がフィットしやすく、十分なホールド力が得られやすい。
【００３８】
第１樹脂部材５１及び第２樹脂部材５２のバストの中心部Ｍ側の端部は、第１ベース部材５３に接続される。第１ベース部材５３は、バストの中心部Ｍ側に配置され、バージスラインＪの一部に隣接する。
【００３９】
第１樹脂部材５１の脇部Ｓ側の端部は、連結部材５５に接続される。連結部材５５は、バストの脇部Ｓ側に配置され、カップ部１の上方から下方へと延びる。
【００４０】
本実施形態において、第１樹脂部材５１は連結部材５５の上端に接続され、連結部材５５の下端が第２ベース部材５４に接続される。したがって、第１樹脂部材５１の脇部Ｓ側の端部は、連結部材５５を介して第２ベース部材５４に接続される。
【００４１】
第２樹脂部材５２の脇部Ｓ側の端部は、第２ベース部材５４と連結部材５５とに接続される。第２ベース部材５４は、脇部Ｓ側に配置され、バージスラインＪの一部に隣接する。
【００４２】
連結部材５５により第１樹脂部材５１及び第２樹脂部材５２を上方向に吊り上げることができる。バストの重みによる垂れを抑え、上向きのバストの造形が容易になる。また連結部材５５はバストを脇部Ｓ側から支えることができるため、脇部Ｓ側へのバストの広がりを抑え、中心部Ｍ寄りのバストの造形が容易になる。
【００４３】
なお第１樹脂部材５１は、連結部材５５を介してではなく、第２ベース部材５４に直接接続されてもよい。
【００４４】
樹脂部材５の厚みは特に限定されないが、第１ベース部材５３及び第２ベース部材５４は、十分な強度を得る観点から、第１樹脂部材５１又は第２樹脂部材５２よりも厚いことが好ましい。
【００４５】
例えば、第１樹脂部材５１、第２樹脂部材５２及び連結部材５５の厚みが１ｍｍ程度、第１ベース部材５３及び第２ベース部材５４の厚みが３ｍｍ程度である。
【００４６】
（支持体）
支持体６は、樹脂部材５の内側に隣接して配置される。支持体６は、第１樹脂部材５１及び第２樹脂部材５２が、パッド１１の表面に浮き出ることを抑える。また支持体６は、樹脂部材５０の位置を安定させることができる。
【００４７】
支持体６としては、発泡ポリウレタン等の成型体を使用することができる。樹脂部材５は、支持体６の内部に埋め込まれていてもよい。
【００４８】
以上のように、本実施形態によれば、バストの中心部Ｍ側から脇部Ｓ側までを、バストトップＫの上側を通るように第１樹脂部材５１が懸架される。またバストトップＫの下側であってバージスラインＪの最下点Ｊｕの上側を通るように第２樹脂部材５２が懸架される。
【００４９】
第１樹脂部材５１及び第２樹脂部材５２が、バストの上部と下部をそれぞれ支えるため、カップ部１全体においてバストのホールド力が向上する。この高いホールド力によってパッド１１の型崩れを抑え、バストを目的の立体形状に造形することができる。
【００５０】
ワイヤタイプではバージスライン上に配置される金属製のワイヤによって高いバストのホールド力が得られる。しかし、このようなワイヤによるホールド力がなくとも、本実施形態におけるカップ部１によれば、高いホールド力が得られるため、ワイヤレスタイプのブラジャー１においても高いバストの造形力を実現できる。
【００５１】
なお本発明は、上記実施形態に限定されず、種々の変形及び変更が可能である。
【００５２】
例えば、第２樹脂部材５２は上述した２本の線状部材の交差形状に限らず、第１ベース部材５３から第２ベース部材５４へと懸架される１本の線状部材であってもよい。
【００５３】
図５は、変形例に係る樹脂部材５Ｂを示す平面図である。
樹脂部材５Ｂの構成は、第２樹脂部材５２Ｂ以外は樹脂部材５と同じであるため、図５において同じ構成部分には同じ符号が付されている。
【００５４】
第２樹脂部材５２Ｂは、波状に延びる１本の線状部材である。第２樹脂部材５２Ｂは、バストトップＫよりも下方を通り、かつ、バスト全体を保持しないようにバージスラインＪの最下点Ｊｕよりも上方を通るように懸架される。
【００５５】
バスト下部を十分に支える観点から、第２樹脂部材５２Ｂは、バストトップＫの１ｃｍ以上下方の位置からバージスラインＪの最下点Ｊｕの１ｃｍ以上上方の位置までの範囲内を通るように懸架されることが好ましい。
【符号の説明】
【００５６】
１０・・・ブラジャー、１・・・カップ部、５・・・樹脂部材、５１・・・第１樹脂部材、５２・・・第２樹脂部材、５３・・・第１ベース部材、５４・・・第２ベース部材、５５・・・連結部材、６・・・支持体
【要約】
【課題】ワイヤレスタイプの衣類におけるバストの造形力の向上。
【解決手段】カップ部（１）の内部に樹脂部材（５）が配置される衣類（１０）において、樹脂部材（５）は、バストの中心部（Ｍ）から脇部（Ｓ）にかけて懸架される第１樹脂部材（５１）及び第２樹脂部材（５２）を含む。第１樹脂部材（５１）は、バストトップ（Ｋ）よりも上方を通るように懸架される。第２樹脂部材（５２）は、バストトップ（Ｋ）よりも下方を通り、かつ、バージスライン（Ｊ）の最下点（Ｊｕ）よりも上方を通るように懸架される。
【選択図】図３【図１】
0006966163.tif 000002
【図２】
0006966163.tif 000003
【図３】
0006966163.tif 000004
【図４】
0006966163.tif 000005
【図５】
0006966163.tif 000006